(57)【要約】【課題】防犯性に優れた扉装置11を提供する。【解決手段】扉枠12には、開口部20に臨む幅方向一側および他側に、開口部20の内方へ向けて開口する戸尻嵌込み凹部23および戸先嵌込み凹部24を設ける。扉体13は、扉枠12の開口部20の幅方向寸法より広い幅に形成し、扉体13の戸尻13aをヒンジ27で扉枠12の一側に対して回動可能に支持する。扉体13の閉鎖時には、扉体13の戸先13bを扉枠12の内側から戸先嵌込み凹部24に挿入させ、扉体13の戸尻13aを扉枠12の内側に移動させてから戸尻嵌込み凹部23に挿入させる。すなわち、扉体13の閉鎖時には、扉体13の戸先13bおよび戸尻13aとも扉枠12の戸先嵌込み凹部24および戸尻嵌込み凹部23に嵌め込む。扉体13の開放時には、扉体13を戸先側へ移動させて扉体13の戸尻13aを戸尻嵌込み凹部23から外して扉枠12の外側に移動させ、扉体13の戸先13bを戸先嵌込み凹部24から外し、開放可能とする。【選択図】図１
2007262769.tif 000002
【特許請求の範囲】
【請求項１】
内側域に開口部を有し、この開口部に臨む幅方向一側および他側に開口部の内方へ向けて開口する戸尻嵌込み凹部および戸先嵌込み凹部が形成された扉枠と、
この扉枠の開口部の幅方向寸法より広い幅に形成された扉体と、
この扉体の戸尻を前記扉枠の一側に対して回動可能に支持し、扉体の閉鎖時には扉体の戸先を扉枠の内側から扉枠の戸先嵌込み凹部に挿入させるとともに扉体の戸尻を扉枠の内側に移動させてから扉枠の戸尻嵌込み凹部に挿入させ、開放時には扉体を他側へ移動させて扉体の戸尻を扉枠の戸尻嵌込み凹部から外して扉枠の外側に移動させるとともに扉体の戸先を扉枠の戸先嵌込み凹部から外して開放可能とする扉体支持手段と
を具備していることを特徴とする扉装置。
【請求項２】
扉枠の戸尻嵌込み凹部および戸先嵌込み凹部に、嵌め込まれた扉体の両面にそれぞれ接触するパッキングを具備している
ことを特徴とする請求項１記載の扉装置。
【請求項３】
扉体支持手段は、断面略コ字形に形成されたヒンジを有し、このヒンジの一端が扉枠の戸尻嵌込み凹部内に回動可能に軸支され、ヒンジの他端が扉体の戸尻に回動可能に軸支され、このヒンジの他端の旋回移動によって扉体の戸尻を扉枠の戸尻嵌込み凹部に挿入させる嵌込み位置と扉体の戸尻を扉枠の外側に移動させるシフト位置との間で移動させる
ことを特徴とする請求項１または２記載の扉装置。
【請求項４】
扉体の戸尻を嵌込み位置とシフト位置との間で移動させる駆動手段を具備している
ことを特徴とする請求項３記載の扉装置。
【請求項５】
扉体の戸尻をシフト位置に保持する保持手段を具備している
ことを特徴とする請求項３記載の扉装置。
【請求項６】
扉枠の戸先嵌込み凹部内に扉体の戸先の挿入方向に対応して移動可能に配設され、戸先嵌込み凹部内に挿入される扉体の戸先が当接する戸先押し板と、
この戸先押し板を扉体の戸先の挿入方向に対して反対方向へ向けて押圧する押圧手段とを具備している
ことを特徴とする請求項１ないし５いずれか記載の扉装置。
【請求項７】
扉体の戸先および戸尻が扉枠の戸先嵌込み凹部および戸尻嵌込み凹部に嵌め込まれた閉鎖状態で、扉体が扉枠の戸先嵌込み凹部の方向に移動するのを規制する施錠機構を具備している
ことを特徴とする請求項１ないし６いずれか記載の扉装置。
【請求項８】
施錠機構は、
戸先押し板に設けられ、この戸先押し板の移動方向に対応して複数の係合部を有する係合部材と、
扉枠に設けられ、前記係合部材のいずれかの係合部に係脱可能とし、係合部に係合することで戸先押し板の移動を規制するロック部材と、
このロック部材を係合部材に係脱させる施解錠操作部とを備えている
ことを特徴とする請求項７記載の扉装置。
【発明の詳細な説明】
【技術分野】
【０００１】
本発明は、防犯性に優れた扉装置に関する。
【背景技術】
【０００２】
従来、例えば一戸建てやマンションなどの住宅用玄関ドアなどに用いられる扉装置では、建物側に扉枠が設置され、この扉枠に扉体が開閉可能に設置されている。扉体は、この扉体の一側の戸先に対して反対側の戸尻がヒンジによって扉枠に回動可能に支持され、ヒンジを支点として扉体の戸先側が開閉される。扉体の戸先側には扉体の閉鎖状態で戸先から扉枠側へ向けてロック金具が突出して施錠する施錠機構が設けられ、扉枠側にはロック金具が嵌合する受金具が設けられている。
【０００３】
しかし、このような扉装置では、扉体の回動による開閉を可能とするために、扉体の戸先と扉枠との間に隙間があり、その隙間を通じて扉体の施錠機構と扉枠の受金具との間の箇所にバールなどを差し込んで扉体の施錠機構と扉枠の受金具を変形させ、扉体の戸先を扉枠から外側に引き起こして施錠を強制的に解除し、扉体を開放する事件が発生している。
【０００４】
そこで、扉体の戸先に扉枠の外面に重なるガード部を設けるとともにこのガード部の先端側を断面Ｌ字形に設け、このガード部の先端を扉枠の外面に設けた溝部に侵入させることにより、カード部で扉体の戸先と扉枠との間の隙間を隠蔽し、バールなどによるカード部の引き起こしを簡単にはできないようにして扉体が開放されるのを防ぐようにした扉装置が知られている（例えば、特許文献１参照。）。
【特許文献１】特開２００３−１３８８４９号公報（第２−３頁、図１−４）
【発明の開示】
【発明が解決しようとする課題】
【０００５】
従来の扉装置では、扉体の戸先を工夫して扉体が開放されるのを防ぐようにしたものもあるが、基本的に扉体の回動により扉枠に対して開閉する構造であるため、扉体の戸先を扉枠から外側に引き起こして施錠を強制的に解除し、扉体を開放することは可能であり、防犯性が十分でない問題がある。
【０００６】
また、扉体の戸尻を支持するヒンジの軸部分が室外側に配設されるため、このヒンジの部分を破壊し、扉体を開放することは可能であり、防犯性が十分でない問題がある。
【０００７】
本発明は、このような点に鑑みなされたもので、防犯性に優れた扉装置を提供することを目的とする。
【課題を解決するための手段】
【０００８】
請求項１記載の扉装置は、内側域に開口部を有し、この開口部に臨む幅方向一側および他側に開口部の内方へ向けて開口する戸尻嵌込み凹部および戸先嵌込み凹部が形成された扉枠と、この扉枠の開口部の幅方向寸法より広い幅に形成された扉体と、この扉体の戸尻を前記扉枠の一側に対して回動可能に支持し、扉体の閉鎖時には扉体の戸先を扉枠の内側から扉枠の戸先嵌込み凹部に挿入させるとともに扉体の戸尻を扉枠の内側に移動させてから扉枠の戸尻嵌込み凹部に挿入させ、開放時には扉体を他側へ移動させて扉体の戸尻を扉枠の戸尻嵌込み凹部から外して扉枠の外側に移動させるとともに扉体の戸先を扉枠の戸先嵌込み凹部から外して開放可能とする扉体支持手段とを具備しているものである。
【０００９】
請求項２記載の扉装置は、請求項１記載の扉装置において、扉枠の戸尻嵌込み凹部および戸先嵌込み凹部に、嵌め込まれた扉体の両面にそれぞれ接触するパッキングを具備しているものである。
【００１０】
請求項３記載の扉装置は、請求項１または２記載の扉装置において、扉体支持手段は、断面略コ字形に形成されたヒンジを有し、このヒンジの一端が扉枠の戸尻嵌込み凹部内に回動可能に軸支され、ヒンジの他端が扉体の戸尻に回動可能に軸支され、このヒンジの他端の旋回移動によって扉体の戸尻を扉枠の戸尻嵌込み凹部に挿入させる嵌込み位置と扉体の戸尻を扉枠の外側に移動させるシフト位置との間で移動させるものである。
【００１１】
請求項４記載の扉装置は、請求項３記載の扉装置において、扉体の戸尻を嵌込み位置とシフト位置との間で移動させる駆動手段を具備しているものである。
【００１２】
請求項５記載の扉装置は、請求項３記載の扉装置において、扉体の戸尻をシフト位置に保持する保持手段を具備しているものである。
【００１３】
請求項６記載の扉装置は、請求項１ないし５いずれか記載の扉装置において、扉枠の戸先嵌込み凹部内に扉体の戸先の挿入方向に対応して移動可能に配設され、戸先嵌込み凹部内に挿入される扉体の戸先が当接する戸先押し板と、この戸先押し板を扉体の戸先の挿入方向に対して反対方向へ向けて押圧する押圧手段とを具備しているものである。
【００１４】
請求項７記載の扉装置は、請求項１ないし６いずれか記載の扉装置において、扉体の戸先および戸尻が扉枠の戸先嵌込み凹部および戸尻嵌込み凹部に嵌め込まれた閉鎖状態で、扉体が扉枠の戸先嵌込み凹部の方向に移動するのを規制する施錠機構を具備しているものである。
【００１５】
請求項８記載の扉装置は、請求項７記載の扉装置において、戸先押し板に設けられ、この戸先押し板の移動方向に対応して複数の係合部を有する係合部材と、扉枠に設けられ、前記係合部材のいずれかの係合段部に係脱可能とし、係合段部に係合することで戸先押し板の移動を規制するロック部材と、このロック部材を係合部材に係脱させる施解錠操作部とを具備しているものである。
【発明の効果】
【００１６】
請求項１記載の扉装置によれば、扉枠は開口部に臨む幅方向一側および他側に開口部の内方へ向けて開口する戸尻嵌込み凹部および戸先嵌込み凹部を形成し、扉体は扉枠の開口部の幅方向寸法より広い幅に形成し、扉体の戸尻を扉枠の一側に対して回動可能に支持する扉体支持手段により、扉体の閉鎖時には扉体の戸先を扉枠の内側から扉枠の戸先嵌込み凹部に挿入させるとともに扉体の戸尻を扉枠の内側に移動させてから扉枠の戸尻嵌込み凹部に挿入させ、開放時には扉体を他側へ移動させて扉体の戸尻を扉枠の戸尻嵌込み凹部から外して扉枠の外側に移動させるとともに扉体の戸先を扉枠の戸先嵌込み凹部から外して開放可能とするため、扉体の閉鎖時には、扉体の戸先および戸尻とも扉枠の戸先嵌込み凹部および戸尻嵌込み凹部に嵌め込まれ、例えばヒンジなどが外部に露出せず、扉体を扉枠から外すのを困難とし、防犯性に優れた扉装置を提供できる。
【００１７】
請求項２記載の扉装置によれば、請求項１記載の扉装置の効果に加えて、扉枠の戸尻嵌込み凹部および戸先嵌込み凹部に嵌め込まれた扉体の両面にパッキングがそれぞれ接触するダブルパッキング構造であるため、扉体の閉鎖時の気密性および水密性を向上でき、扉体が反った場合でも扉体のいずれかの面とパッキングとは必ず接触し、気密性および水密性を維持できる。
【００１８】
請求項３記載の扉装置によれば、請求項１または２記載の扉装置の効果に加えて、扉体支持手段として、一端が扉枠の戸尻嵌込み凹部内に回動可能に軸支され、他端が扉体の戸尻に回動可能に軸支された断面略コ字形のヒンジを用いることにより、このヒンジの他端の旋回移動によって扉体の戸尻を扉枠の戸尻嵌込み凹部に挿入させる嵌込み位置と扉体の戸尻を扉枠の外側に移動させるシフト位置との間で移動させることができ、扉体の閉鎖時には扉体の戸先および戸尻とも扉枠の戸先嵌込み凹部および戸尻嵌込み凹部に嵌め込まれる構造でありながら、簡単な構成で扉体の開放を許容できる。
【００１９】
請求項４記載の扉装置によれば、請求項３記載の扉装置の効果に加えて、駆動手段により扉体の戸尻を嵌込み位置とシフト位置との間で自動的に移動させ、扉体の開閉を容易にできる。
【００２０】
請求項５記載の扉装置によれば、請求項３記載の扉装置の効果に加えて、保持手段により扉体の戸尻をシフト位置に保持するため、扉体の開閉を安定させることができる。
【００２１】
請求項６記載の扉装置によれば、請求項１ないし５いずれか記載の扉装置の効果に加えて、扉枠の戸先嵌込み凹部内に戸先押し板を配設し、この戸先押し板を扉体の戸先の挿入方向に対応して移動可能とするとともにその挿入方向に対して反対方向へ向けて押圧しているため、戸先嵌込み凹部内に挿入される扉体の戸先が戸先押し板に当接し、気密性を向上できる。
【００２２】
請求項７記載の扉装置によれば、請求項１ないし６いずれか記載の扉装置の効果に加えて、扉体の戸先および戸尻が扉枠の戸先嵌込み凹部および戸尻嵌込み凹部に嵌め込まれた閉鎖状態で、施錠機構により扉体が扉枠の戸先嵌込み凹部の方向に移動するのを規制するため、扉体を確実に施錠できる。
【００２３】
請求項８記載の扉装置によれば、請求項７記載の扉装置の効果に加えて、施解錠操作部によって扉枠のロック部材を、戸先押し板の係合部材の係合部に係脱させて、扉体を施錠、解錠でき、しかも、係合部材には戸先押し板の移動方向に対応して複数の係合部を設けていて、ロック部材は係合部材のいずれかの係合部に係合するため、扉体の傾きや伸縮によって扉体の戸先の位置がずれてもそれを吸収でき、施錠機構の調整を不要にできる。
【発明を実施するための最良の形態】
【００２４】
以下、本発明の実施の形態を図面を参照して説明する。
【００２５】
図１ないし図５に第１の実施の形態を示す。
【００２６】
図１ないし図４において、例えば一戸建てやマンションなどの住宅用玄関ドアなどに用いられる扉装置11を示す。この扉装置11は、建物側に設置される扉枠12、およびこの扉枠12に対して開閉可能でかつ一側の戸尻13aおよび他側の戸先13bが扉枠12の内側に嵌まり込んで閉鎖する扉体13を備えている。なお、扉体13の一面を室内Ａに臨む内面13c、扉体13の他面を室外Ｂに臨む外面13dとして説明する。
【００２７】
扉枠12は、幅方向一側の枠部16、他側の枠部17、天井側の枠部18、床側の枠部19を有する縦長の四角形枠状に形成され、これら枠部16〜19の内側に人が出入りする開口部20が形成されている。一側の枠部16および他側の枠部17の互いに対向する内面には、室内Ａ側および室外Ｂ側から開口部20の内方へ向けて突出して断面略コ字形となる枠縁部21，21および枠縁部22，22が上下方向全域にわたって形成され、室内Ａ側と室外Ｂ側の枠縁部21，21間および枠縁部22，22間に開口部20の内方へ向けて開口する断面略コ字形となる戸尻嵌込み凹部23および戸先嵌込み凹部24が上下方向全域にわたって形成されている。
【００２８】
扉体13は、扉枠12の開口部20の幅方向寸法より大きく、かつ戸尻嵌込み凹部23と戸先嵌込み凹部24との各奥側までの幅方向寸法より小さく形成されており、戸尻13aおよび戸先13bが戸尻嵌込み凹部23および戸先嵌込み凹部24に嵌め込まれて閉鎖状態となるように構成されている。
【００２９】
また、扉体13の戸尻13aは、扉体支持手段としての２自由度のヒンジ27により扉枠12の一側の枠部16に対して支持されている。このヒンジ27は、断面略コ字形で、扉体13の上部の一部を除く上下方向の大部分に対応した長さに形成され、一端が枠部16の戸尻嵌込み凹部23内であって室外Ｂ側の枠縁部21の内側に支軸28を支点として回動可能に軸支され、他端が扉体13の戸尻13aであって室内Ａ側の位置に支軸29を支点として回動可能に軸支されている。
【００３０】
ヒンジ31は、一端の支軸28を支点として他端の支軸28つまり扉体13の戸尻13aを、図１に示す枠部16の戸尻嵌込み凹部23内に挿入させる嵌込み位置と図３に示す枠部16の室外Ｂ側のシフト位置との間で旋回移動させる。そのため、ヒンジ31は、扉体13を閉鎖する際に、図３から図１の順に示すように、扉体13の戸先13bを扉枠12の内側から戸先側の枠部17の戸先嵌込み凹部24に挿入させるとともに扉体13の戸尻13aを扉枠12の内側に移動させてから戸尻側の枠部16の戸尻嵌込み凹部23に挿入させ、また、扉体13を開放する際に、図１から図３の順に示すように、扉体13を他側へ移動させて扉体13の戸尻13aを戸尻側の枠部16の戸尻嵌込み凹部23から外して扉枠12の外側に移動させるとともに扉体13の戸先13bを戸先側の枠部17の戸先嵌込み凹部24から外して開放可能とするように構成されている。
【００３１】
また、上側の枠部18には収納部32が固定され、この収納部32内には扉体13の戸尻13aを嵌込み位置とシフト位置との間で移動させる回転機構33およびこの回転機構33を駆動する駆動部としてのモータ34を有する駆動手段35が配設されている。
【００３２】
回転機構33は、収納部32に固定配置されるモータ34によって回転する回転板36、この回転板36の周縁部の偏心位置に一端が回動可能に連結された第１のリンク37、一端が支軸38で収納部32に回動可能に軸支されていて中間部に第１のリンク37の他端が回動可能に連結されたレバー39、このレバー39の他端に一端が回動可能に連結された第２のリンク40、扉体13に連結されていて第２のリンク40の他端が回動可能に連結された連結体41を備えている。
【００３３】
連結体41は、扉体13の戸尻13aであって室内Ａ側の位置に支軸42を支点として回動可能に軸支された連結部材43を有し、この連結部材43に第２のリンク40が連結されたガイド部材44が取り付けられている。ガイド部材44にはスライド軸45が取り付けられ、このスライド軸45が収納部32に幅方向に沿って形成された長孔46にスライド可能に係合されている。
【００３４】
そして、モータ34の駆動により、回転機構33を介して、上述したヒンジ27による扉体13を動作のように、扉体13の戸尻13aを嵌込み位置とシフト位置との間で自動的に移動させる。
【００３５】
なお、戸先側の枠部17の室内Ａ側などには、扉体13の戸尻13aの嵌込み位置またはシフト位置への移動を指令操作する図示しない操作部が配設されている。また、図示しないリモコンなどで室外Ｂ側から指令操作することもできる。
【００３６】
また、扉体13の内面13cの上部側にはドアクローザ49が配設され、このドアクローザ49のアーム50が収納部32の下面に幅方向に沿って配設されたスライドレール51にスライド可能に連結されている。そして、ドアクローザ49により、ヒンジ27の支軸29を支点として開閉する扉体13を閉じる方向に付勢してシフト位置まで自動的に閉めるように構成されている。
【００３７】
また、図１ないし図５に示すように、戸先側の枠部17には、扉体13を閉鎖状態で施錠する施錠機構54が配設されている。この施錠機構54は、戸先側の枠部17の戸先嵌込み凹部24内に配置されていて戸先嵌込み凹部24内に挿入される扉体13の戸先13bが当接する戸先押し板55を備えている。この戸先押し板55には複数の支持部材としての上下の係合部材56が取り付けられ、これら各係合部材56が戸先嵌込み凹部24の奥側に対してスライド可能に配置されており、戸先押し板55が扉体13の戸先13bの挿入方向に対応して移動可能に支持されている。各係合部材56には、戸先押し板55を扉体13の戸先13bの挿入方向に対して反対方向へ向けて押圧する押圧手段としての圧縮ばね57が配設されている。
【００３８】
各係合部材56の枠部17内に配置される端部側上面には、複数の係合部58が端部側ほど低くなる階段状に形成されている。枠部17内には、先端が各係合部材56の係合部58のいずれかに係脱可能とする上下のロック部材59が支軸60を支点として回動可能に軸支されているとともに図示しないばねで先端が下降して係合部58に係合する方向に付勢されている。各ロック部材59は枠部17内に上下方向にスライド可能に配置された連動部材61に連結され、連動部材61は枠部17の室内Ａ側に配置された施解錠操作部としてのサムターン62に連結されている。そして、また、サムターン62が施錠位置に回動しているときには、連動部材61が上昇し、上下の各ロック部材59の先端が図示しないばねの付勢により降下して係合部材56の係合部58に係合し、戸先押し板55が戸先嵌込み凹部24の奥側に移動するのを規制し、また、サムターン62が解錠位置に回動しているときには、連動部材61が下降し、上下の各ロック部材59の先端が係合部材56の係合部58に係合しない上方位置に退避され、戸先押し板55が戸先嵌込み凹部24の奥側に移動するのを許容するように構成されている。
【００３９】
なお、施錠機構54は、サムターン62を回動させる施解錠用モータを備え、図示しないリモコンなどの操作で室外Ｂ側からも施錠、解錠できる。
【００４０】
また、扉枠12の戸尻嵌込み凹部23および戸先嵌込み凹部24に、嵌め込まれた扉体13の内面13cおよび外面13dの両面にそれぞれ接触するパッキング65が配設されている。
【００４１】
また、扉体13の内面13cおよび外面13dには、シフト位置に移動した扉体13を開閉操作するための図示しない取手を設けてもよい。
【００４２】
次に、本実施の形態の作用を説明する。
【００４３】
図１および図４に示すように、扉装置11の扉体13が閉鎖状態にある場合、扉体13の戸尻13aおよび戸先13bが扉枠12の各枠部16，17の戸尻嵌込み凹部23および戸先嵌込み凹部24にそれぞれ嵌め込まれている。
【００４４】
扉体13の戸尻13aおよび戸先13bの両面に、戸尻嵌込み凹部23および戸先嵌込み凹部24に配設されているパッキング65がそれぞれ接触している。
【００４５】
サムターン62が施錠位置にある場合には、各ロック部材59の先端が係合部材56のいずれかの係合部58に係合し、戸先押し板55が戸先嵌込み凹部24の奥側に移動するのを規制することにより、扉体13が施錠されている。
【００４６】
そして、扉体13を開くには、扉体13が施錠されている場合、サムターン62を解錠位置に回動させることにより、各ロック部材59の先端が係合部材56の係合部58から外れ、戸先押し板55が戸先嵌込み凹部24の奥側に移動するのを許容するようにして、扉体13を解錠する。
【００４７】
操作部の開操作によりモータ34が駆動を開始し、このモータ34の駆動により、回転機構33を介して、ヒンジ27の一端の支軸28を支点として他端の支軸28つまり扉体13の戸尻13aが、図１に示す枠部16の戸尻嵌込み凹部23内の嵌込み位置から、枠部16の室外Ｂ側のシフト位置へ向けて旋回移動する。
【００４８】
これにより、まず、図２に示すように、扉体13の戸先13bが戸先押し板55を圧縮ばね57の付勢に抗して押しながら扉体13が戸先13b側へ移動し、扉体13の戸尻13aが戸尻側の枠部16の戸尻嵌込み凹部23から開口部20内に外れる。
【００４９】
さらに、図３に示すように、扉体13の戸尻13aが戸尻側の枠部16の外側に移動しながら扉体13が戸尻13a側へ移動し、扉体13の戸先13bが戸先側の枠部17の戸先嵌込み凹部24から開口部20内に外れる。
【００５０】
ヒンジ27の他端の支軸28つまり扉体13の戸尻13aがシフト位置に移動したら、モータ34を停止し、回転機構33を介してヒンジ27をシフト位置に保持する。
【００５１】
そして、ヒンジ27の支軸29を支点として扉体13を開放することができる。開放した扉体13は、ドアクローザ49の作用により図３に示すシフト位置まで自動的に閉じる。
【００５２】
また、扉体13を閉じるには、扉体13が図３に示すシフト位置に閉じている状態で、操作部の操作によりモータ34が駆動を開始し、このモータ34の駆動により、回転機構33を介して、ヒンジ27の一端の支軸28を支点として他端の支軸28つまり扉体13の戸尻13aが、図３に示す枠部16の室外Ｂ側のシフト位置から、枠部16の戸尻嵌込み凹部23内の嵌込み位置へ向けて旋回移動する。
【００５３】
これにより、まず、図２に示すように、扉体13の戸先13bが扉枠12の内側から戸先側の枠部17の戸先嵌込み凹部24に挿入され、扉体13の戸先13bが戸先押し板55を圧縮ばね57の付勢に抗して押しながら扉体13が戸先13b側へ移動し、扉体13の戸尻13aが戸尻側の枠部16より開口部20内の位置まで移動する。
【００５４】
さらに、図１に示すように、扉体13の戸尻13aが戸尻側の枠部16の戸尻嵌込み凹部23に嵌り込みながら扉体13が戸尻13a側に移動する。
【００５５】
ヒンジ27の他端の支軸28つまり扉体13の戸尻13aが嵌込み位置に移動したら、モータ34を停止し、回転機構33を介してヒンジ27を嵌込み位置に保持する。
【００５６】
閉じた扉体13を施錠する場合には、サムターン62を施錠位置に回動させることにより、各ロック部材59の先端が係合部材56のいずれかの係合部58に係合し、戸先押し板55が戸先嵌込み凹部24の奥側に移動するのを規制し、つまり扉体13が戸先13b側に移動するのを規制し、扉体13を施錠する。
【００５７】
このように構成された扉装置11では、扉体13の閉鎖時に、扉体13の戸先13bおよび戸尻13aとも扉枠12の戸先嵌込み凹部24および戸尻嵌込み凹部23に嵌め込まれるため、扉体13の室外Ｂには施錠機構54やヒンジ27などが露出せず、この扉体13を扉枠12から外すのを困難とし、防犯性に優れた扉装置を提供できる。
【００５８】
また、一端が扉枠12の戸尻嵌込み凹部23内に回動可能に軸支され、他端が扉体13の戸尻に回動可能に軸支された断面略コ字形のヒンジ27を用いることにより、このヒンジ27の他端の旋回移動によって扉体13の戸尻13aを扉枠12の戸尻嵌込み凹部23に挿入させる嵌込み位置と扉体13の戸尻13aを扉枠12の外側に移動させるシフト位置との間で移動させることができ、扉体13の閉鎖時には扉体13の戸先13bおよび戸尻13aとも扉枠12の戸先嵌込み凹部24および戸尻嵌込み凹部23に嵌め込まれる構造でありながら、簡単な構成で扉体13の開放を許容できる。
【００５９】
また、モータ34を用いた駆動手段35により扉体13の戸尻13aを嵌込み位置とシフト位置との間で自動的に移動させ、扉体13の開閉を容易にできる。
【００６０】
また、扉枠12の戸先嵌込み凹部24内に戸先押し板55を配設し、この戸先押し板55を扉体13の戸先13bの挿入方向に対応して移動可能とするとともにその挿入方向に対して反対方向へ向けて押圧しているため、戸先嵌込み凹部24内に挿入される扉体13の戸先13bが戸先押し板55に当接し、気密性を向上できる。
【００６１】
さらに、サムターン62によって扉枠12のロック部材59を、戸先押し板55の係合部材56の係合部58に係脱させて、扉体13を施錠、解錠できる。しかも、係合部材56には戸先押し板55の移動方向に対応して複数の係合部58を設けていて、ロック部材59は係合部材56のいずれかの係合部58に係合するため、扉体13の傾きや伸縮によって扉体13の戸先13bの位置がずれてもそれを吸収でき、施錠機構54の調整を不要にできる。
【００６２】
また、扉枠12の戸尻嵌込み凹部23および戸先嵌込み凹部24に嵌め込まれた扉体13の両面にパッキング65がそれぞれ接触するダブルパッキング構造であるため、扉体13の閉鎖時の気密性および水密性を向上でき、扉体13が反った場合でも扉体13のいずれかの面とパッキング65とは必ず接触し、気密性および水密性を維持できる。
【００６３】
次に、図６に第２の実施の形態を示す。
【００６４】
この第２の実施の形態は、扉装置11の基本的な構成は第１の実施の形態と同様であるが、手動で扉体13の戸尻13aを嵌込み位置とシフト位置との間で移動させるものである。
【００６５】
扉体13の戸尻13aであって室内Ａ側の位置に支軸42を支点として回動可能に軸支された連結体41を有し、この連結体41の先端にはスライド軸45が取り付けられ、このスライド軸45が収納部32に幅方向に沿って形成された長孔46にスライド可能に係合されている。
【００６６】
連結体41の先端には、扉体13を戸尻13a側である一側へ向けて付勢する保持手段としての保持ばね71が連結されている。この保持ばね71は、ヒンジ27の支軸28と連結体41のスライド軸45付近とを結ぶ線上に付勢の中立点があり、この中立点よりヒンジ27の支軸29が室内Ａ側にあるときに嵌込み位置に向けて付勢し、中立点より室外Ｂ側にあるときにシフト位置へ向けて付勢する。
【００６７】
扉体13の内面13cおよび外面13dには、扉体13を開閉操作するための取手72が水平方向に沿って取り付けられている。
【００６８】
そして、嵌込み位置にある扉体13を開くには、取手72を持って、扉体13を戸先13b側へ移動させて扉体13の戸尻13aが戸尻側の枠部16の戸尻嵌込み凹部23から開口部20内に外し、さらに、扉体13の戸尻13aを戸尻側の枠部16の外側に移動させながら扉体13を戸尻13a側へ移動させ、扉体13の戸先13bを戸先側の枠部17の戸先嵌込み凹部24から開口部20内に外すことにより、扉体13がヒンジ27を介してシフト位置に移動する。
【００６９】
そして、シフト位置のヒンジ27の支軸29を支点として、扉体13を開閉できる。
【００７０】
このとき、保持ばね71によりヒンジ27つまり扉体13の戸尻13aをシフト位置に保持するため、扉体13の開閉を安定させることができる。
【００７１】
また、シフト位置にある扉体13を閉じるには、取手72を持って、扉体13を戸先13b側へ移動させて扉体13の戸先13bを戸先側の枠部17の戸先嵌込み凹部24に嵌め込み、扉体13の戸尻13aを戸尻側の枠部16の内側に移動させるとともに、扉体13を戸尻13a側に移動させて扉体13の戸尻13aを戸尻側の枠部16の戸尻嵌込み凹部23に嵌り込むことにより、扉体13がヒンジ27を介して嵌込み位置に移動する。
【００７２】
次に、図７および図８に第３の実施の形態を示す。
【００７３】
第３の実施の形態は、扉装置11の基本的な構成は第１の実施の形態と同様であるが、手動で扉体13の戸尻13aを嵌込み位置とシフト位置との間で移動させるものである。
【００７４】
つまり、戸先側の枠部17の内外にハンドル81を回動操作可能に配設し、このハンドル81の回動操作で連動機構82を介して扉体13の戸尻13aを嵌込み位置とシフト位置との間で移動させる。
【００７５】
連動機構82は、回転機構33も含み、この回転機構33の回転板36と一体に鉛直軸を中心に回転するプーリ83が設けられ、枠部17の上部に水平軸を中心に回転するプーリ84a，84bが設けられ、プーリ83と一方のプーリ84aとの間にベルトやワイヤなどの無端状の伝達部材85が張設されている。ハンドル81と一体に回動するプーリ86が設けられ、他方のプーリ84bとプーリ86との間にベルトやワイヤなどの無端状の伝達部材87が張設されている。
【００７６】
扉体13の内面13cおよび外面13dの戸先13b側には、扉体13を開閉操作するための取手88が鉛直方向に沿って取り付けられている。
【００７７】
そして、ハンドル81が水平方向に向いているときに扉体13が嵌込み位置にある。
【００７８】
嵌込み位置にある扉体13を開くには、ハンドル81を例えば鉛直方向に９０°回動操作することにより、伝達部材87，85を介して回転機構33の回転板36が回転する。この回転機構33を介して、扉体13を戸先13b側へ移動させて扉体13の戸尻13aが戸尻側の枠部16の戸尻嵌込み凹部23から開口部20内に外し、さらに、扉体13の戸尻13aを戸尻側の枠部16の外側に移動させながら扉体13を戸尻13a側へ移動させ、扉体13の戸先13bを戸先側の枠部17の戸先嵌込み凹部24から開口部20内に外すことにより、扉体13がヒンジ27を介してシフト位置に移動する。
【００７９】
そして、シフト位置のヒンジ27の支軸29を支点として、扉体13を開閉できる。
【００８０】
また、シフト位置にある扉体13を閉じるには、ハンドル81を水平方向に９０°回動操作することにより、伝達部材87，85を介して回転機構33の回転板36が回転する。この回転機構33を介して、扉体13を戸先13b側へ移動させて扉体13の戸先13bを戸先側の枠部17の戸先嵌込み凹部24に嵌め込み、扉体13の戸尻13aを戸尻側の枠部16の内側に移動させるとともに、扉体13を戸尻13a側に移動させて扉体13の戸尻13aを戸尻側の枠部16の戸尻嵌込み凹部23に嵌り込むことにより、扉体13がヒンジ27を介して嵌込み位置に移動する。
【００８１】
このようにハンドル81を操作することにより、扉体13の戸尻13aを嵌込み位置またはシフト位置に移動させるため、この扉装置11に初めての人でも通常のドアと同様に開閉操作できる。
【００８２】
なお、プーリ84aの軸方向を回転機構33側のプーリ83の軸方向と平行とし、すなわちプーリ84aとプーリ83とを共に水平回転するように配設してベルトやワイヤなどの無端状の伝達部材87を掛け回し、直交するプーリ84aの軸とプーリ84bの軸とはかさ歯車を用いることで回転駆動力を伝達するようにしてもよい。この場合、プーリ84aとプーリ83とに掛け回される伝達部材87のねじれが少ないため、ワイヤなどを用いる場合に適している。
【００８３】
また、施錠機構54は、扉体13の戸先13bおよび戸尻13aが扉枠12の戸先嵌込み凹部24および戸尻嵌込み凹部23に嵌め込まれた閉鎖状態で、扉体13が扉枠12の戸先嵌込み凹部24の方向に移動するのを規制できれば、どのような構成を用いてもよい。
【００８４】
例えば、図９に示すように、扉枠12に、扉体13の戸先13bが戸先嵌込み凹部24に挿入される方向に対して交差する方向から戸先嵌込み凹部24内に進退可能なロック部材91を設け、扉体13の閉鎖状態でロック部材91を戸先嵌込み凹部24に突出させることにより、扉体13が扉枠12の戸先嵌込み凹部24の方向に移動するのを規制できる。
【００８５】
あるいは、図１０に示すように、扉枠12の戸先嵌込み凹部24内にロック部材92の基端側を支軸93を支点として軸支し、ロック部材92の先端側を上方に向けている退避状態で、扉体13が扉枠12の戸先嵌込み凹部24の方向に移動するのを許容し、また、ロック部材92の先端側を扉体13の戸先13bの方向へ向けて突出するように倒している状態で、扉体13が扉枠12の戸先嵌込み凹部24の方向に移動するのを規制できる。
【００８６】
また、従来の扉装置では扉体の中間高さで施錠しないと扉体の上部または下部から開きやすくなるのに対して、本実施の形態の扉装置11では、施錠機構54の各ロック部材59，91，92で扉体13が扉枠12の戸先嵌込み凹部24の方向に移動するのを規制するため、扉体13の上下方向のどの位置に施錠機構54の各ロック部材59，91，92を配設しても同じ効果が得られる。そのため、一般的な施錠箇所である扉体13の中間高さに比べて外部から無理に開放しようとする行為がされにくい例えば扉体13の上部側に施錠機構54の各ロック部材59，91，92を配設することができ、防犯性を向上できる。
【００８７】
なお、この扉装置11の構造は、住宅や建物の扉などに限らず、自動販売機や金庫などの扉にも適用できる。
【図面の簡単な説明】
【００８８】
【図１】本発明の第１の実施の形態を示す扉装置の扉体の閉鎖状態の平面図である。
【図２】同上扉体の戸尻を閉鎖位置またはシフト位置に移動させる過程の平面図である。
【図３】同上扉体の戸尻をシフト位置に移動させた平面図である。
【図４】同上扉装置の室内側から見た正面図である。
【図５】同上扉装置の施錠機構の正面図である。
【図６】本発明の第２の実施の形態を示す扉装置の平面図である。
【図７】本発明の第３の実施の形態を示す扉装置の平面図である。
【図８】同上扉装置の室内側から見た正面図である。
【図９】本発明の第４の実施の形態を示す扉装置の施錠機構の平面図である。
【図１０】本発明の第５の実施の形態を示す扉装置の正面図である。
【符号の説明】
【００８９】
11    扉装置
12    扉枠
13    扉体
13a   戸尻
13b   戸先
20    開口部
23    戸尻嵌込み凹部
24    戸先嵌込み凹部
27    扉体支持手段としてのヒンジ
35    駆動手段
54    施錠機構
55    戸先押し板
56    係合部材
57    押圧手段としての圧縮ばね
58    係合部
59    ロック部材
62    施解錠操作部としてのサムターン
65    パッキング
71    保持手段としての保持ばね
【図１】
2007262769.tif 000003
【図２】
2007262769.tif 000004
【図３】
2007262769.tif 000005
【図４】
2007262769.tif 000006
【図５】
2007262769.tif 000007
【図６】
2007262769.tif 000008
【図７】
2007262769.tif 000009
【図８】
2007262769.tif 000010
【図９】
2007262769.tif 000011
【図１０】
2007262769.tif 000012